(57)【要約】【課題】  手動走査により原稿上を走査して情報を光学的に読み取る情報読取装置において、走査の方向の違いにより、読み取りの解像度を切り替えることを可能とする情報読取装置。【解決手段】  ローラから、エンコーダまでのギヤ列を高解像度の時と普通の解像度の時で、２系列配置し、ローラの回転方向により、ギヤ列への伝達を切り替えることにより、解像度を切り替えることができる構成。【選択図】  図１
2008283377.tif 000002
【特許請求の範囲】
【請求項１】
手動操作により原稿上を走査して、情報を光学的に読み取る情報読取装置において、前記原稿上の情報を読み取る読取手段と、前記原稿と接して、回転するローラを備え、該ローラの回転を検出する回転検出手段を有し、前記読取手段に情報読取を指示する読取指示手段と、前記ローラの異なる回転方向により、異なる前記回転検出手段を有することを特徴とする情報読取装置。
【請求項２】
前記ローラの回転方向に違いにより、前記回転出手段は異なるエンコーダの回転数を読み取る手段により読みとられた前記異なるエンコーダの回転数より、異なるパルスを発生する手段と、前記ローラから前記エンコーダまでの増速手段も異なることを特徴とする請求項１記載の情報読取装置。
【請求項３】
前記エンコーダの回転数を読みとる手段と、前記異なるエンコーダの回転数を読み取る手段により読みとられた前記異なるエンコーダの回転数より、異なるパルスを発生する手段において、一対の発光素子、受光素子を少なくとも２箇所有することを特徴とする請求項１、請求項２に記載の情報読取装置。
【請求項４】
手動操作により原稿上を走査して、情報を光学的に読み取る情報読取装置において、前記原稿上の情報を読み取る読取手段と、前記原稿と接して、回転するローラを備えると共に、前記ローラの回転を検出する回転検出手段を有し、前記読取手段に情報読取を指示する読取指示手段と、前記ローラの回転方向により、前記読取手段に異なる情報読取を指示する読取指示手段とを有することを特徴とする情報読取装置。
【請求項５】
前記ローラの回転方向に違いにより、前記回転出手段は同一のエンコーダの回転数を読み取る手段により読みとられた前記同一のエンコーダの回転数より、異なるパルスを発生する手段と、前記ローラから前記エンコーダまでの増速手段が異なることを特徴とする請求項４記載の情報読取装置。
【請求項６】
前記エンコーダの回転数を読みとる手段と、前記同一のエンコーダの回転数を読み取る手段により読みとられた前記同一のエンコーダの回転数より、異なるパルスを発生する手段において、一対の発光素子、受光素子を少なくとも１箇所有することを特徴とする請求項４、請求項５に記載の情報読取装置。
【発明の詳細な説明】
【技術分野】
【０００１】
本発明は、装置内にセンサ、ローラを内蔵し、装置を手動で移動させることによって原稿上の情報データを読みとる情報読取装置に関するものである。
【背景技術】
【０００２】
従来の情報読取装置は原稿と接して回転するローラを有し、そのローラの回転から副走査方向の位置を逐次検出しながら読み取りを行っているが、１つの読取手段で読取の解像度を変更する場合、従来の例では、公報特開平５−１３６９４１号で説明されているが読取手段の解像度を電気的なスイッチで切り替え、かつ、解像度が高い時には、ギヤ類の負荷が軽いために、電気的な読取速度より、手動での読取速度の方が早くなり、読取ができなくなるため、解像度を切り替えるときに、機械的にギヤ類の増速機構にブレーキをかけ、手動でスキャンしても、読取速度の限界を超えない速度となる構成にしていた。
【０００３】
従来例について図面を用いて説明する。
【０００４】
図３（ａ）、図３（ｂ）、図４（ａ），図４（ｂ）は従来例を表した図面である。
【０００５】
図３（ｂ）において原稿面を回転する、１０１のローラaに１０２のギヤaが固定されており、回転中心は１０３の軸aである。１０１のローラaでの回転は１０４のギヤb、１０６のギヤc、１１１のギヤdに伝わる。１１１のギヤdには１１４のエンコーダ板aが固定されており、１１３のフォトカプラaにより、パルスを発生する。該パルスは１０８の読取手段の副走査方向の読み取りタイミングを決定し、解像度が決まる。電気的に解像度を変更しようとした場合、たとえば、６００dpiの解像度を１２００dpiにした場合、機械的なギヤ類の負荷が軽く、手動でスキャンした時に、電気的な読み取り速度より機械的な速度の方が早くなり、読み取りが不可能となる場合があった。そのために、１１７のブレーキを１０４のギヤbに押し付けて機械的な負荷を増大させて、一定の速度以上に早く、読み取りができないような構造としていた。
【０００６】
図３（ａ），図３（ｂ）は１１７のブレーキが働いている状態であり、高解像度での読み取りの状態を示している。また、図４（ａ）、図４（ｂ）は１１７のブレーキがはずれている状態で、低解像度での読み取りの状態を示す図である。
【特許文献１】特開平５−１３６９４１号公報
【発明の開示】
【発明が解決しようとする課題】
【０００７】
以上説明したように、従来の例では、読み取りの解像度を電気的に変更しても、機械的な負荷が軽いために、高解像度での読み取りの場合、電気的な読み取り速度より、機械的な読み取り速度が速くなり、読み取りができないという欠点があった。また、この欠点をさけるため、わざわざ、ローラからエンコーダ板までのギヤ類の負荷をギヤ類とは別の機構を設けて機械的に早く読み取れないような構造としていた。このために読み取りの解像度を変更しようとした場合、別部品を付加するためにコスト的に高くなり、また、別の機構を付けるために、ブレーキ等の制動力が機械的に安定しないという欠点があった。
【課題を解決するための手段】
【０００８】
この目的を達成するために本発明は
（１）手動操作により原稿上を走査して、情報を光学的に読み取る情報読取装置において、前記原稿上の情報を読み取る読取手段と、前記原稿と接して、回転するローラを備え、該ローラの回転を検出する回転検出手段を有し、前記読取手段に情報読取を指示する読取指示手段と、前記ローラの異なる回転方向により、異なる前記回転検出手段を有することを特徴とする情報読取装置。
【０００９】
（２）前記ローラの回転方向に違いにより、前記回転出手段は異なるエンコーダの回転数を読み取る手段により読みとられた前記異なるエンコーダの回転数より、異なるパルスを発生する手段と、前記ローラから前記エンコーダまでの増速手段も異なることを特徴とする請求項１記載の情報読取装置。
【００１０】
（３）前記エンコーダの回転数を読みとる手段と、前記異なるエンコーダの回転数を読み取る手段により読みとられた前記異なるエンコーダの回転数より、異なるパルスを発生する手段において、一対の発光素子、受光素子を少なくとも２箇所有することを特徴とする請求項１、請求項２に記載の情報読取装置。
【００１１】
（４）手動操作により原稿上を走査して、情報を光学的に読み取る情報読取装置において、前記原稿上の情報を読み取る読取手段と、前記原稿と接して、回転するローラを備えると共に、前記ローラの回転を検出する回転検出手段を有し、前記読取手段に情報読取を指示する読取指示手段と、前記ローラの回転方向により、前記読取手段に異なる情報読取を指示する読取指示手段とを有することを特徴とする情報読取装置。
【００１２】
（５）前記ローラの回転方向に違いにより、前記回転出手段は同一のエンコーダの回転数を読み取る手段により読みとられた前記同一のエンコーダの回転数より、異なるパルスを発生する手段と、前記ローラから前記エンコーダまでの増速手段が異なることを特徴とする請求項４記載の情報読取装置。
【００１３】
（６）前記エンコーダの回転数を読みとる手段と、前記同一のエンコーダの回転数を読み取る手段により読みとられた前記同一のエンコーダの回転数より、異なるパルスを発生する手段において、一対の発光素子、受光素子を少なくとも１箇所有することを特徴とする請求項４、請求項５に記載の情報読取装置。
【００１４】
（１）〜（１３）の構成とした。
【発明の効果】
【００１５】
以上説明したように原稿面に対し、読取装置の読み取る方向を変えることにより、読み取りの解像度を高解像度と普通の解像度というように、切り替えることができる。
【００１６】
原稿面に接し回転するローラの回転方向により、エンコーダ板までの増速比、つまり、ギヤ列を切り替えることにより、手動でスキャンしたときに、電気的な読み取り速度に適した、機械的な付加を変化させることができ、手動での読み取りに対して、ストレスを感じさせることことがなく、読み取り速度を気にせずに読み取りすることができる。
【００１７】
また、従来例の様に、機械的なブレーキ等の外部部品を使用することなく適切な手動での読み取りが可能となり、コスト的にも安く構成でき、機械的な安定性も増加させることができる。
【発明を実施するための最良の形態】
【００１８】
以下、図面を参照して本発明の好適な実施の形態を具体的に説明する。
【００１９】
（第１の実施の形態）
本発明の第１の実施形態について、図１（ａ）、図１（ｂ）、図２（ａ）、図２（ｂ）を参照して説明する。
【００２０】
図１（ａ）は本発明を適用した画像読みとり装置（ハンディスキャナ）の一実施例を示す、上面図である。図１（ｂ）は同じく本発明を適用した画像読みとり装置（ハンディスキャナ）の一実施例を示す、正面図である。図２（ａ）は本発明を適用した画像読みとり装置（ハンディスキャナ）の一実施例を示す、上面図である。図２（ｂ）は同じく本発明を適用した画像読みとり装置（ハンディスキャナ）の一実施例を示す、正面図である。
【００２１】
図１（ａ）、図１（ｂ）、図２（ａ）、図２（ｂ）において、１は原稿面と接触し、回転するゴムローラで、ローラＡである。２は１のローラＡに同心状に配置され、１のローラＡに固定されているギヤＡである。３は１のローラＡ、２のギヤＡの回転軸で、軸Ａである。４は２のギヤＡとかみ合うギヤで、ギヤＢである。５は４のギヤBとかみ合う２段ギヤで、ギヤCである。６は５のギヤCの回転軸で、軸Cである。７は５のギヤCとかみ合う２段ギヤで、ギヤDである。８は７のギヤDの回転軸で、軸Dである。９は７のギヤDとかみ合う２段ギヤで、ギヤEである。１０は９のギヤEの回転軸で、軸Eである。１１は９のギヤEとかみ合うギヤで、ギヤFである。１２は１１のギヤFの回転軸で、軸Fである。１３は４のギヤBの回転軸で軸Bである。１４はレバーBの動きを規制する軸でピンである。１５は１１のギヤFの回転支点である１２の軸Ｆが固定され、レバーＡと１３の軸Ｂを支点として回転するレバーでレバーＢである。１６は３の軸Ａを回転中心に回転するレバーで４のギヤＢの回転中心である１３の軸Ｂが固定されている、レバーＡである。１７は原稿面を読み取り主走査を行う読取手段である。１８は原稿面と接触し、回転するゴムローラで、ローラＢである。１９は１８のローラＢの回転軸でローラ軸Ｂである。２０は光を通過させない薄い板で周上にスリット状の穴が多数開いているエンコーダ板である。２１は２０のエンコーダ板に固定されているギヤで、ギヤＨとかみ合っている、ギヤＧである。２２は２０のエンコーダ板と２１のギヤＧの回転軸で軸Ｇである。２３は４のギヤＢとかみ合う２段ギヤでギヤＨである。２４は２３のギヤＨの回転軸で軸Ｈである。２５は内部に、発光素子と受光素子を内蔵したフォトカプラである。２６はローラＡ、Ｂやギヤ類やプリント基板を覆う筐体である。２７は電気回路を構成する基板でプリント基板である。２８は読み取るのもが書かれたメディアで原稿面である。
【００２２】
図１（ａ）、図１（ｂ）、図２（ａ）、図２（ｂ）を用いて、本発明の動作説明をする。
【００２３】
１７の読取手段は内部に、ＬＥＤ等の光源で２８の原稿面を照射し、照射された光を読取手段に導くための光学系を内蔵し、センサチップが内蔵されている。１７の読取手段の１ライン方向を主走査方向とすると、２６の筐体を主走査方向と直角な方向（副走査方向）に移動させることにより２８の原稿面の画像情報を入力することができる。
【００２４】
副走査方向に関しては、２５のフォトカプラが２０のエンコーダ板に開けられているスリット状の穴をカウントすることにより、１７の読取手段の副走査方向での読み取りタイミングを決定している。
【００２５】
図１（ａ）、図１（ｂ）は図中の矢印Ｂ方向に２６の筐体を移動させた状態の図であり、つまり、矢印Ｂ方向にスキャンした状態の図である。
【００２６】
また、図２（ａ）、図２（ｂ）は矢印Ａ方向にスキャンした状態の図である。
【００２７】
画像読み取りの解像度が副走査方向で６００ｄｐiの場合、１のローラＡが１インチ移動する間に、つまり、１７の読取手段が１インチ移動する間に、２０のエンコーダ板と、２５のフォトカプラとにより、６００パルスを発生し、前記パルスにより読取手段の読みとりタイミングを決定している。
【００２８】
本発明は、スキャンの方向である、矢印Ａ方向と、Ｂ方向とでローラＡエンコーダ板までのギヤ列を切り替えて、同じ移動量であっても、２０のエンコーダ板から得られるパルス数を多くしたり、少なくすることにより、１７の読取手段への読取タイミングを変化させ、本発明は、スキャンする方向を変えるだけで、たとえば、画像情報や２次元バーコード等、高画質が要求される場合には、１２００dpiでスキャンしたり、１次元バーコードや、文字等、あまり高画質でなく普通の画質が要求される場合には６００dpiでスキャンすることができる。
【００２９】
図１（ａ），図１（ｂ）では図中の矢印Ａ方向にスキャンした場合の図であり、普通の画質の場合のギヤ列等を表している。図２（ａ）、図２（ｂ）は図中の矢印Ｂ方向にスキャンした場合のギヤ列等を表しており、高画質の場合の読み取り状態を表している。
【００３０】
図１（ａ），図１（ｂ）を用いて動作説明をする。
【００３１】
１のローラＡが原稿面を図中矢印Ｂ方向に回転して移動した場合、１のローラＡに固定されている２のギヤＡが、３の軸Ａを回転中心とし、回転する。４のギヤＢは１６のレバーＡにより２のギヤＡと絶えずかみ合っている。また、１６のレバーＡと２のギヤＡの間には、図示していないフリクションが配置されており、２のギヤＡは時計方向へ回転することにより、４のギヤＢは３の軸Ａを中心に１６のレバーＡと同時に時計方向へ移動し、４のギヤＢは２３のギヤＨとかみ合う。また、２３のギヤＨとかみ合っている、２１のギヤＧが回転する。２１のギヤＧには２０のエンコーダ板が固定されているので、１のローラＡの回転によって、２０のエンコーダ板が回転する。２０のエンコーダ板が回転することにより、２５のフォトカプラに内蔵されている、発光素子と受光素子より、２０のエンコーダ板の穴の数だけ、パルスを発生させられる。
【００３２】
図２（ａ），図２（ｂ）を用いて動作説明をする。
【００３３】
図２（ａ），図２（ｂ）は図中矢印Ａ方向に２６の筐体を移動させた状態を表す。
【００３４】
１のローラＡが反時計方向に回転し、２のギヤＡと１６のレバーＡの間に配置された、図示しないフリクションにより、４のギヤＢと、１６のレバーＡは３の軸Ａを回転中心とし、反時計方向へ移動する。そして、４のギヤＢは５のギヤＣとかみ合う。このとき１６のレバーＡは反時計方向へ移動するが、これにともない、１５のレバーＢは１４のピンと、１５のレバーＢに形成された溝により、１３の軸Ｂを中心に時計方向へ移動し、１５のレバーＢに固定されている１２の軸Ｆを中心に１１のギヤＦが２３のギヤＨとかみ合う。５のギヤＣは７のギヤＤにかみ合っているので、７のギヤＤも回転し、さらに７のギヤＤにかみ合っている９のギヤＥが回転し、さらに、１１のギヤＦも回転し、２３のギヤＨも回転する。２１のギヤＧは２３のギヤＨとかみ合っているので、回転し、２１のギヤＧに固定されている２０のエンコーダ板も回転する。２０のエンコーダ板が回転することにより、２５のフォトカプラに内蔵されている、発光素子と、受光素子とにより、２０のエンコーダ板に開いている穴よりパルスが発生する。図２（ａ），図２（ｂ）の場合のローラＡからエンコーダ板までの増速比は、図１（ａ）、図１（ｂ）の場合の増速比より大きいので、図１（ａ）、図１（ｂ）の場合より２０のエンコーダ板が早く回転をし、よって、発生するパルス数も大い。図１（ａ），図１（ｂ）の場合のギヤ列の増速比を図２（ａ），図２（ｂ）の場合のギヤ列の増速比を半分にしておけば、たとえば、図１（ａ），図１（ｂ）の場合と比較し、図２（ａ），図２（ｂ）の場合には倍のパルス数が得られ、よって、読み取りの解像度も倍となる。
【００３５】
また、ギヤ列を高解像度の時と、普通の解像度の時で、変えることにより、高解像度での読み取りの時には、ローラからのギヤ列の増速比が大きいため、ギヤの枚数も増え、機械的な負荷を電気的な読み取り速度と、ギヤのピッチ等で合わせることにより、高解像度での読み取り時は、自動で、電気的な読み取り速度より早くスキャンできなくなり、安定して、また、ストレスのないスキャンを行うことができる。
【００３６】
また、普通の解像度での読み取り時には、電気的な読み取り速度も速くすることができ、ギヤ列のギヤの枚数も少なくでき、機械的な負荷も軽くでき、適切な読み取りをすることができる。
【図面の簡単な説明】
【００３７】
【図１】（ａ）本発明の第１の実施例を表し、全体を表わす上面図。  （ｂ）本発明の第１の実施例を表し、全体を表わす側面図。
【図２】（ａ）本発明の第１の実施例を表し、全体を表わす上面図。  （ｂ）本発明の第１の実施例を表し、全体を表わす側面図。
【図３】（ａ）従来の実施例１を表し、全体を表わす上面図。  （ｂ）従来の実施例１を表し、全体を表わす側面図。
【図４】（ａ）従来の実施例１を表し、全体を表わす上面図。  （ｂ）従来の実施例１を表し、全体を表わす側面図。
【符号の説明】
【００３８】
１  ローラＡ
２  ギヤＡ
３  軸Ａ
４  ギヤＢ
５  ギヤＣ
６  軸Ｃ
７  ギヤＤ
８  軸Ｄ
９  ギヤＥ
１０  軸Ｅ
１１  ギヤＦ
１２  軸Ｆ
１３  軸Ｂ
１４  ピン
１５  レバーＢ
１６  レバーＡ
１７  読取手段
１８  ローラＢ
１９  ローラＢ軸
２０  エンコーダ板
２１  ギヤＧ
２２  軸Ｇ
２３  ギヤＨ
２４  軸Ｈ
２５  フォトカプラ
２６  筐体
２７  プリント基板
２８  原稿面
１０１  ローラａ
１０２  ギヤａ
１０３  ローラａ軸
１０４  ギヤｂ
１０５  軸ｂ
１０６  ギヤｃ
１０７  軸ｃ
１０８  読取手段
１０９  ローラｂ
１１０  ローラｂ軸
１１１  ギヤｄ
１１２  軸ｄ
１１３  フォトカプラａ
１１４  エンコーダ板ａ
１１５  プリント基板ａ
１１６  筐体ａ
１１７  ブレーキ
１１８  スイッチレバー
１１９  スイッチ
【図１】
2008283377.tif 000003
【図２】
2008283377.tif 000004
【図３】
2008283377.tif 000005
【図４】
2008283377.tif 000006